(57)【要約】【課題】飲料容器を容易に置くことができると共に未使用状態での見栄えを良くする。【解決手段】カップホルダ１を本体６と可動部材７とにより構成し、本体には缶８等を載置し得る底板部６ａと固定側半内周面６ｃとを形成し、可動部材には固定側半内周面に対峙しかつ略対称形の可動側半内周面７ａを設け、それぞれ底板部に対して略垂直な半円筒面１３ａと拡開する斜面１３ｂとにより構成する。可動部材を両内周面が対峙した状態で移動可能に設けかつ固定側半内周面側に向けてばね付勢する。両側壁により画定される凹部に飲料容器を挿入するという単純な動作（１アクション）で、カップホルダによる飲料容器の保持状態に至ることができ、カップホルダの使い勝手が良いという効果を奏し得る。特に、可動側壁の初期位置である未使用状態で両側壁により形成される内周面が略円形に連続する面となることにより、未使用状態における美観性が良い。【選択図】図２
2011131793.tif 000002
【特許請求の範囲】
【請求項１】
飲料容器を起立状態に載置し得るように設けられた容器載置用部材と、前記容器載置用部材に載置状態の前記飲料容器の外周面の一部を挟持して支持するべく相対的に近接離反可能に設けられた一対の側壁部材と、前記一対の側壁部材を相対的に近接させる向きに付勢するばね手段とを有し、
前記一対の側壁部材が、前記容器載置用部材と共に所定の大きさの凹部を画定する初期位置と当該初期位置から離反した拡大位置との２位置間で相対的に変位可能に設けられていると共に、前記容器載置用部材側から高さ方向中間部に至る範囲で前記容器載置用部材に対して略垂直に形成された略垂直部分と、前記略垂直部分から前記凹部の縁に至るに連れて互いの間隔が漸増するように少なくとも一方に形成された後傾部分とを有することを特徴とするカップホルダ。
【請求項２】
前記一対の側壁部材のそれぞれの内周面は、前記初期位置において連続するように形成されていることを特徴とする請求項１に記載のカップホルダ。
【請求項３】
前記凹部の外側部分に、前記一対の側壁部材の前記初期位置における前記凹部の縁と連続する縁部を有しかつ前記一対の側壁部材の前記凹部の外側部分を覆うように形成された化粧板が設けられていることを特徴とする請求項１または請求項２に記載のカップホルダ。
【請求項４】
前記一対の側壁部材が、前記容器載置用部材に対して固定状態に設けられた固定側壁と、前記初期位置と前記拡大位置との２位置間で変位可能に設けられた可動側壁とからなり、
前記可動側壁が、前記ばね手段により前記固定側壁に近接させる向きに付勢されていることを特徴とする請求項１乃至請求項３のいずれかに記載のカップホルダ。
【請求項５】
前記可動側壁は、前記固定側壁に対して対峙状態を保持して移動可能にガイドされていることを特徴とする請求項４に記載のカップホルダ。
【請求項６】
車両に搭載されている車両用カップホルダであることを特徴とする請求項１乃至請求項５のいずれかに記載のカップホルダ。
【発明の詳細な説明】
【技術分野】
【０００１】
本発明は、カップホルダに関し、特に、様々な大きさや形状の飲料容器を安定性良く収容保持することができる車両搭載用のカップホルダに関するものである。
【背景技術】
【０００２】
従来、飲料容器を立てた状態に保持し得るようにしたカップホルダには種々のものがあり、その搭載場所としては自動車のコンソールボックス等がある。そのようなカップホルダの一例として、一般的な飲料容器の一例である円筒形状の缶を挿入可能にした開口部と、開口部から挿入された缶を起立状態に載置するための底部とを設けたものがある（例えば特許文献１参照）。
【先行技術文献】
【特許文献】
【０００３】
【特許文献１】特開２００２−９６６６９号公報
【発明の概要】
【発明が解決しようとする課題】
【０００４】
上記特許文献１のカップホルダでは、底部に立設されかつ挟角が略直角のＬ字形壁面と、Ｌ字形壁面に対向配置されかつ挟角が略直角のＬ字形挟持片とが設けられ、Ｌ字形壁面とＬ字形挟持片とにより矩形の開口が画定されるようになっている。また、Ｌ字形挟持片にはＬ字形壁面の２面にそれぞれ対峙する２枚の側壁が一体に形成されており、Ｌ字形挟持片は、Ｌ字形壁面の角に対してＬ字形挟持片の角が近接離反する向きに変位可能かつ近接方向にばね付勢されている。これにより、Ｌ字形壁面と板状挟持片の側壁との間に缶をばね付勢力にて挟持し得ると共に、異なる缶径に対応可能である。
【０００５】
しかしながら、上記カップホルダの未使用状態ではＬ字形壁面とＬ字形板状挟持片とによる矩形の開口が最小の大きさであり、その開口より大きい断面積の缶を置くためには、板状挟持片を変位させて開口面積を広げてから缶を挿入することになり、２段階のアクションを必要とし、使い勝手が悪いという問題がある。
【０００６】
一方、有底円筒状の凹部を形成し、その凹部内に飲料容器を収容するようにしたカップホルダにおいて、その内周面の開口近傍に開口側から底に向けて斜めに延出された可撓性の係合片を設けて、径違いの飲料容器に対して係合片のたわみ量により対応するようにしたものがある。この場合には、飲料容器を凹部に挿入するという単純な動作で飲料容器を収容かつ保持状態にすることができる。しかしながら、未使用状態では係合片が凹部内に最も突出した状態になり、見栄えが悪いという問題がある。
【課題を解決するための手段】
【０００７】
このような課題を解決して、飲料容器を収容かつ保持するためのカップホルダであって、飲料容器を容易に置くことができると共に未使用状態での見栄えを良くすることができることを実現するために、本発明に於いては、飲料容器を起立状態に載置し得るように設けられた容器載置用部材と、前記容器載置用部材に載置状態の前記飲料容器の外周面の一部を挟持して支持するべく相対的に近接離反可能に設けられた一対の側壁部材と、前記一対の側壁部材を相対的に近接させる向きに付勢するばね手段とを有し、前記一対の側壁部材が、前記容器載置用部材と共に所定の大きさの凹部を画定する初期位置と当該初期位置から離反した拡大位置との２位置間で相対的に変位可能に設けられていると共に、前記容器載置用部材側から高さ方向中間部に至る範囲で前記容器載置用部材に対して略垂直に形成された略垂直部分と、前記略垂直部分から前記凹部の縁に至るに連れて互いの間隔が漸増するように少なくとも一方に形成された後傾部分とを有するものとした。
【０００８】
これによれば、一対の側壁部材が初期位置にある状態では略垂直部分間の間隔が最も狭く、その狭い略垂直部分間より大きい飲料容器を凹部に挿入した場合には、その飲料容器の下部が側壁部材の後傾部分に当接し、さらに飲料容器を挿入することにより、ばね付勢力に抗して両側壁部材を相対的に離反させる向きに押し拡げることができる。そして、飲料容器の下部が容器載置用部材に達して容器載置用部材に飲料容器が載置された状態では、両側壁部材の各略垂直部分間に飲料容器の外周面の一部が挟持されるため、ばね付勢により挟持力が発生しており、飲料容器の保持状態が確保される。この保持状態に至るまで、飲料容器を凹部に挿入するという単純な動作（１アクション）で良く、カップホルダの使い勝手が良い。
【０００９】
特に、前記一対の側壁部材のそれぞれの内周面は、前記初期位置において連続するように形成されていると良い。これによれば、両側壁部材が初期位置にある未使用状態で、両側壁部材により形成される内周面が略円形に連続する面となり、未使用状態における美観が良い。
【００１０】
また、前記凹部の外側部分に、前記一対の側壁部材の前記初期位置における前記凹部の縁と連続する縁部を有しかつ前記一対の側壁部材の前記凹部の外側部分を覆うように形成された化粧板が設けられていると良い。これによれば、両側壁部材が初期位置にある未使用状態で、凹部の外側部分が化粧板により覆われ、さらに凹部の縁に連続する縁部を有することから未使用状態における美観性が良い。
【００１１】
さらに、前記一対の側壁部材が、前記容器載置用部材に対して固定状態に設けられた固定側壁と、前記初期位置と前記拡大位置との２位置間で変位可能に設けられた可動側壁とからなり、前記可動側壁が、前記ばね手段により前記固定側壁に近接させる向きに付勢されていると良い。これによれば、一対の側壁部材の一方のみを変位可能に設ければ良く、ばね手段を一方のみに設ければ良い等、構造を簡略化することができる。
【００１２】
特に、前記可動側壁は、前記固定側壁に対して対峙状態を保持して移動可能にガイドされていると良い。これによれば、両側壁を略対称形に形成した場合に、その対称形を保持しつつ両間隔を変えることができ、飲料容器の大きさの違いに対する挟持方向が変化しないようになり、どの飲料容器に対しても常に同様の挟持状態を確保し得る。
【００１３】
また、カップホルダが車両に搭載されている車両用カップホルダであると良い。これによれば、飲料容器のカップホルダに対する載置を上記したように１アクションで行うことができ、片手で容易にかつ速やかに飲料容器をカップホルダへ置くことができ、自動車や列車等の車両の走行中の揺れに対しても取り扱い性が良い。
【発明の効果】
【００１４】
このように本発明によれば、両側壁部材により画定される凹部に飲料容器を挿入するという単純な動作（１アクション）で、カップホルダによる飲料容器の保持状態に至ることができ、カップホルダの使い勝手が良いという効果を奏し得る。特に、両側壁部材の初期位置である未使用状態で両側壁部材により形成される内周面が略円形に連続する面となることにより、未使用状態における美観性が良い。
【図面の簡単な説明】
【００１５】
【図１】本発明が適用されたカップホルダの設置例を示す要部斜視図である。
【図２】カップホルダの容器収容体及び化粧板を示す斜視図である。
【図３】容器収容体の一部の分解組立斜視図である。
【図４】図３における矢印IV線から見た組み立て状態を示す平面図である。
【図５】図２の矢印Ｖ−Ｖ線から見た要部断面図である。
【図６】可動部材の初期位置における外観を示す斜視図である。
【図７】第２の例を示す模式的平面図である。
【発明を実施するための形態】
【００１６】
以下、本発明の実施の形態を、図面を参照しながら説明する。図１は、本発明が適用されたカップホルダ１の設置例を示す要部斜視図である。図では、自動車２の運転席と助手席との間にコンソールボックス３が設けられており、コンソールボックス３の車両前部側には例えば左右方向横長の矩形状の取付孔３ａが設けられており、その取付孔３ａに収まる形でカップホルダ１が設けられている。なお、以下の説明中で上下左右の用語を用いる場合には自動車２の上下左右に対応するものとする。
【００１７】
図２に示されるように、カップホルダ１は、例えば合成樹脂の成形品であって良く、図示例では２つの凹設部が並列に配置された形状となる容器収容体４と、容器収容体４の凹設部の外側部分（内部構造等）を隠すための蓋体としての化粧板５とを有する。化粧板５には容器収容体４の２つの凹設部に対応するように２つの略円形をつなげた形状の開口５ａが設けられている。
【００１８】
容器収容体４は、図２・図３に併せて示されるように、外観が横長の矩形箱状に形成されかつ側壁部材の一方としての固定側壁を構成する本体６と、側壁部材の他方を構成するべく本体６の短辺に沿う方向に所定量変位可能に本体６に組み付けられる可動側壁としての２つの可動部材７とにより概略構成されている。
【００１９】
本体６は、飲料容器としての缶８や紙コップ９（図５参照）を載置可能な容器載置用部材としての平坦面を有する底板部６ａと、底板部６ａの周囲部分に立設された周壁６ｂとにより横長の矩形状箱形に形成されていると共に、コンソールボックス３にねじ等で固定されるようになっている。周壁６ｂの一方の長辺となる部分により、市販の一般的な形状の缶等の下側部分の概ね半周を外囲する湾曲状の固定側半内周面６ｃが形成されている。固定側半内周面６ｃは、図示例では２つの缶等を収容し得るように左右一対（２つ）に設けられているが、載置対象の缶等の数に応じ数だけ設けられて良い。なお、缶等を収容する構造部分は左右同じであって良く、以下では特に断らない限り一方について説明する。
【００２０】
可動部材７は、底板部６ａの上面に対して平行に変位可能に設けられ、固定側半内周面６ｃと略対称な湾曲状の半内周面となるように形成された可動側半内周面７ａを一体に有している。固定側半内周面６ｃと可動側半内周面７ａとにより連続する略円形状の内周面が形成され、その中に缶８等を同軸的に挿入して、本カップホルダ１が使用されるようになっている。このように、両半内周面６ｃ・７ａにより缶８等を挿入可能かつ保持する凹部が画定される。
【００２１】
また図３に良く示されるように、本体６の外周を形成する周壁６ｂには、その固定側半内周面６ｃとは相反する側から固定側半内周面６ｃに向けて延出された互いに平行な一対のガイドレール１１が一体に形成されている。可動部材７の図における裏面側（下側）には各ガイドレール１１にスライド可能にはまり合う各ガイド溝７ｂが一体に形成されている。ガイドレール１１とガイド溝７ｂとがはまり合うように本体６と可動部材７とを組み付けることにより、可動部材７は、その可動側半内周面７ａを固定側半内周面６ｃに対向させたまま近接離反する向きに移動可能である。このようにして、可動部材７は、本体６の固定側半内周面６ｃに対して初期位置における対峙（正対）状態を保持して、図示されないストッパにより規制される所定の移動距離内で移動可能にガイドされる。
【００２２】
さらに、周壁６ｂの一対のガイドレール１１の中間位置には固定側半内周面６ｃに向けて突出する円柱状突部６ｄが形成されており、その突部６ｄにはばね手段としての圧縮コイルばね１２の一端部が取り付けられている。圧縮コイルばね１２の突出方向端は、可動部材７の組み付け状態で可動側半内周面７ａの裏側の対応する部分に当接し得るようにされている。可動部材７は、缶８等が保持されていない容器未収容状態（初期位置）でも圧縮コイルばね１２のばね力により付勢されている。その状態で、本体６の固定側半内周面６ｃの周方向端における肩部６ｅに、可動部材７の可動側半内周面７ａの周方向端における端面７ｃが当接し、可動部材７の初期位置が規定されている。
【００２３】
また、各半内周面６ｃ・７ａは、図５に良く示されるように、底板部６ａに対して立設状態の略垂直部分としての半円筒面１３ａと、半円筒面１３ａの軸線方向上端から上方（化粧板５側）に向けて拡開するように底板部６ａに対する半円筒面１３ａの角度より大きな角度になる後傾部分としての斜面１３ｂとにより構成されている。半円筒面１３ａ及び斜面１３ａは平面視で略半円状に形成され、可動部材７の初期位置において、斜面１３ｂの上側の縁１３ｃが開口５ａの縁に一致するように形成されている。なお、略垂直は、垂直または垂直に対して数度傾いているものも含むものとする。また、斜面１３ｂの傾きは、傾斜率が軸線方向（高さ方向）の位置の違いで変化（例えば漸増）するようになっていて良く、また一定であっても良い。また、図示例では両半内周面６ｃ・７ａに斜面１３ａを設けたが、いずれか一方のみに設けるものであっても良い。
【００２４】
なお、可動部材７の初期位置では、略円形となる両半円筒面１３ａ間の最も短い所の長さ（間隔）Ｄ１が設計上収容可能な缶８等の最小径のものに対応し、図３及び図４の右側部分で示したように可動部材７の最大移動位置（拡大位置）では、両半内周面６の各半円筒面１３ａ間の最も短い所の長さ（間隔）Ｄ２が設計上収容可能な缶８等の最大径のものに対応する。例えば、最小径Ｄ１は市販の一般的な２５０ｍｌ缶８に対応し、最大径Ｄ２は市販の飲料用紙コップ９の一般的なラージサイズのものに対応し得るものであって良い。
【００２５】
２５０ｍｌ缶８の場合には、可動部材７が初期位置の状態で両半円筒面１３ａ間にそのまま挿入可能である。一般的な２５０ｍｌ缶の場合には高さも低く、両半円筒面１３ａとの間に若干の隙間があっても安定して保持し得るが、缶の挿入により若干可動部材７が押し拡げられる設定にしても良く、その場合には、最小径の缶８に対しても可動部材７に作用するばね付勢力にて保持することができ、保持状態がより一層安定する。
【００２６】
ラージサイズの紙コップ９の場合には、図５の矢印Ａに示されるように紙コップ９を両半内周面６ｃ・７ａ間に挿入しようとすると、先ず紙コップ９の底部が斜面１３ｂに当接する。可動部材７に対する圧縮コイルばね１２のばね付勢力に抗して紙コップ９をさらに挿入することにより、紙コップ９の底部の下降変位に対して相対的に斜面１３ｂがガイドされて、可動部材７は図５の矢印Ｂに示される向きに移動する。そして、紙コップ９の底部が底板部６ａに当接した載置状態（図５の二点鎖線により全体が示された状態）になると、その紙コップ９の下半部の外周部分が両半円筒面１３ａ間にばね付勢力にて挟持されるため、紙コップ９の保持状態が安定する。
【００２７】
このようにして、走行時の加減速や路面からの振動に対して、缶８や紙コップ９が本カップホルダ１により安定して保持される。なお、可動部材７の初期位置状態における斜面１３ｂの上縁間の最も短い所の長さ（間隔）Ｄ３（図４）はＤ２より若干大きくしておく。これにより、間隔Ｄ２に収容可能な容器に対して、斜面１３ｂに押し当てて挿入するという動作のみでカップホルダ１による保持状態にするという対応が可能となる。
【００２８】
また、上記したように、缶８等の未挿入状態である可動部材７の初期位置状態では、図５及び図６に示されるように化粧板５の開口５ａの縁と、両半内周面６ｃ・７ａ（両斜面１３ｂ）の上側の縁とが一致するようにされている。これにより、化粧板５の開口５ａの縁から連続する凹部が形成され、また凹部内に何等突出するものも無く、円滑な内周面が形成されており、未使用状態での見栄えが良い。なお、開口５ａの縁と両斜面１３ｂの上側の縁とは一致しなくても良く、外観上一致しているように見える程度であると良いが、斜面１３ｂの上側の縁が開口５ａの縁より化粧板５に隠れる側に位置していても良い。
【００２９】
なお、上記実施形態では一対の側壁部材を構成する一方を固定側壁（本体６）とし、他方を可動側壁（可動部材７）としたが、両側壁部材間の間隔が変化し得るものであれば良く、両側壁部材を互いに近接離反可能にする種々の構造が適用可能である。その一例として、図７を参照して説明する。なお、上記と同様の部分については同一の符号を付してその詳しい説明を省略する。
【００３０】
図７に示されるカップホルダ２１は、１つの収容凹部に対して半割形状の一対の側壁部材としての一対の可動部材２２を有し、両可動部材２２は平面視で互いに対称的な半円形状に形成されていると共に、互いに隣接する周方向端部同士の一方が例えば本体５に突設されたヒンジ部２３にヒンジ結合されている。そのヒンジ結合部分を回動中心として両可動部材２２がヒンジ結合側とは相反する周方向端部間を開閉するようにそれぞれ独立して回動し得るようされている（矢印Ｃ）。また、両可動部材２２は互いに近付く向きに例えば上記実施の形態と同様の圧縮コイルばね１２によりばね付勢されている。なお、ばねとしては、ヒンジ部２３の所にねじりばねを設けても良い。
【００３１】
このようにしても、両可動部材２７の開度の大きさの違いにより異なる径の缶８等をばね付勢力により挟持した状態に保持することができ、図７における左側のように可動部材２２の初期位置状態では上記と同様の間隔Ｄ１が確保され、右側の矢印Ｃに示されるように開いて、右側の実線に示されるように最大に開いた拡大位置状態では上記と同様の間隔Ｄ２が確保され得るため、上記と同様の効果を奏し得る。
【符号の説明】
【００３２】
１  カップホルダ
４  容器収容体
５  化粧板
６  本体
６ａ  底板部
６ｃ  固定側半内周面
７  可動部材
７ａ  可動側半内周面
１２  圧縮コイルばね
１３ａ  半円筒面
１３ｂ  斜面
【図１】
2011131793.tif 000003
【図２】
2011131793.tif 000004
【図３】
2011131793.tif 000005
【図４】
2011131793.tif 000006
【図５】
2011131793.tif 000007
【図６】
2011131793.tif 000008
【図７】
2011131793.tif 000009